(57)【特許請求の範囲】
【請求項１】
操作部でのボタン操作により、階層構造における設定画面を順次表示させて、操作条件の設定入力を行う環境試験装置において、
上記操作部には、所望の操作条件が直接設定されるショートカットボタンと、
上記ショートカットボタンにおける所望の操作条件を、設定入力及び設定変更する設定入力変更手段とが設けられ、
上記設定入力変更手段によって設定されうる操作条件を、設定時刻を含めて経時的に記憶しておく操作履歴記憶手段が設けられていると共に、
前記設定入力変更手段は、上記操作履歴記憶手段に記憶された操作条件を抽出して設定入力及び設定変更することを特徴とする環境試験装置。
【請求項２】
前記操作履歴記憶手段に記憶された操作条件の設定時刻から各操作条件での運転時間を演算する演算手段を備えていると共に、
前記設定入力変更手段は、上記操作履歴記憶手段に記憶された操作条件を抽出して設定入力及び設定変更するときに、上記演算手段にて演算された各操作条件での運転時間を含めて設定入力及び設定変更することを特徴とする請求項１記載の環境試験装置。
【請求項３】
前記設定入力変更手段は、１つのショートカットボタンに対して、複数の操作条件を設定入力及び設定変更することを特徴とする請求項１又は２記載の環境試験装置。
【請求項４】
パーソナルコンピュータとの通信を行う通信手段と、
上記パーソナルコンピュータにて設定入力及び設定変更された前記操作条件を、上記通信手段を介して入力する制御手段とが設けられていることを特徴とする請求項１〜３のいずれか１項に記載の環境試験装置。
【請求項５】
前記制御手段は、前記パーソナルコンピュータにて設定入力及び設定変更されかつ移動可能な記録媒体に記憶された前記操作条件を、入力することを特徴とする請求項４記載の環境試験装置。
【発明の詳細な説明】
【技術分野】
【０００１】
本発明は、階層構造になった設定画面をボタン操作にて順次表示させて操作条件の設定入力及び設定変更を行う場合に、容易に操作条件の設定入力及び設定変更を行い得る環境試験装置に関するものであり、詳細には、運転操作及び設定変更操作に適用し得るショートカットボタンを備えた環境試験装置に関するものである。
【背景技術】
【０００２】
従来、製品の寿命や耐久性等を試験するために、環境試験装置を用いて各種の温度条件下、及び各種の湿度条件下等の負荷を一定時間かけた例えばサイクル試験による環境試験が行なわれている。
【０００３】
近年では、そのサイクル試験における環境条件も多様化しており、環境試験装置も高機能化されていることから、運転操作のための設定項目も多くなっており、環境試験に際してサイクル試験における全工程の環境条件を設定する作業も複雑となっている。
【０００４】
通常、環境試験装置の操作パネルにおける環境条件の設定は、階層構造になっているので、具体的な環境条件の設定は、下位の階層レベルで行われることが多い。このため、操作部でのボタン操作により、階層構造における設定画面を順次表示させて、操作条件の設定入力を行う場合には、何度もボタン操作を行う必要がある。
【０００５】
一方、一旦設定した環境条件の設定において、その一部を変更したい場合も多い。この場合、その環境条件を設定する設定モードの表示画面が、階層構造における下位の階層レベルであるときには、設定時と同様に、その環境条件を設定する設定モードの表示画面になるまで何度もボタン操作を行う必要があり、従来においては、その環境条件の変更は容易ではなかった。
【０００６】
上記環境条件の設定を変更する場合の操作について、本発明の実施の形態の説明図である図５（ａ）（ｂ）（ｃ）に基づいて説明する。
【０００７】
例えば、環境試験装置において、設定変更プロテクトが「ＯＦＦ」となっていたのを「ＯＮ」に変更する操作手順について説明する。ここで、設定変更プロテクトとは、環境試験装置の操作パネルにて設定を行った各種の環境条件を、変更できないように、その設定変更をプロテクト（書き込み保護）する操作である。設定変更プロテクトを「ＯＮ」することにより、設定変更ができなくなる一方、通常は、設定変更プロテクトは「ＯＦＦ」となっており、設定変更ができる状態となっている。
【０００８】
例えば、設定変更プロテクトを「ＯＮ」に変更する場合には、まず、図５（ａ）に示すように、プログラム設定ボタン１５を長押しして管理設定モードに入る。この管理設定モードに入ると、管理設定メニュー画面において、最初に、「タイマ設定」の管理設定項目が表示され、ボタンを繰り返し押すことによって、各種の管理設定項目が順次表示される。ここで、プロテクト設定は、図５（ｂ）に示すように、各種の管理設定項目において、例えば６番目となっている。したがって、この管理設定メニュー画面において、項目が順次下に行くように、ボタンを６回押す。そして、表示部２がプロテクト設定モードの表示になれば、確定次項ボタンを押すことによって、図５（ｃ）に示すように、プロテクト設定画面（設定変更）が表示される。したがって、このプロテクト設定画面（設定変更）で設定変更プロテクトを「ＯＦＦ」から「ＯＮ」に変更する。これによって、設定変更プロテクトを「ＯＮ」にすることができる。尚、この設定変更プロテクトを再度「ＯＦＦ」にする場合には、上述した図５（ａ）（ｂ）（ｃ）の工程を経て、プロテクト設定画面（設定変更）を表示させ、このプロテクト設定画面（設定変更）で設定変更プロテクトを「ＯＮ」からに「ＯＦＦ」に変更すればよい。
【０００９】
ところで、このような環境条件の設定変更は、前述したように、階層構造において順を追って、その設定モードにまで到達しなければならないので、変更が容易ではない。
【００１０】
そこで、このような問題に対応するために、例えば、特許文献１では、階層構造の段階的操作を経ないでも変更操作を可能とするショートカットボタンを設けている。
【００１１】
すなわち、特許文献１の技術は、グラフィカルなユーザーインターフェースを持つ製造装置において、通常では複数の操作を行って起動するパラメータ変更画面を、一度の操作で起動できるようにするショートカットボタンの作成方法を開示するものである。具体的には、パラメータ変更の履歴を保存し、一定回数以上変更されたパラメータの変更用に自動的にショートカットボタンを作成するようになっている。
【００１２】
上記ショートカットボタンの作成方法としては、特許文献１の技術は、グラフィカルなユーザーインターフェースを持つパソコンでの操作変更であるので、図１５（ａ）に示すように、パラメータ変更のログファイルにおいて、変更パラメータＩＤが「００２３４」及び「００２３Ｂ」がそれぞれ５回以上となっているので、図１５（ｂ）に示すように、この変更パラメータＩＤ「００２３４」及び「００２３Ｂ」を自動的に抜き出すようになっている。そして、図１６に示すように、例えば、パソコン画面におけるスタートジョブ画面において、変更パラメータＩＤ「００２３４」である「露光中のジョブ／レクチルファイルのロード」が、自動的に表示されるので、容易に、変更パラメータＩＤ「００２３４」である「露光中のジョブ／レクチルファイルのロード」を「ＯＮ」に設定可能となっている。
【００１３】
また、特許文献２では、階層メニューを有する業務用コンピュータプログラムにおいて、図１７に示すように、あらかじめ定められたスケジュールにしたがって当日又は近日中に実行すべき業務の実行ボタンに対応するショートカットボタン１０１…をパソコン画面における業務初期メニューの表示画面１０２に表示する。そして、ショートカットボタン１０１…が押下されたときに、各ショートカットボタン１０１…に対応する業務の識別番号、業務実行ボタンの属するメニュー番号及びメニュー内位置を規定するショートカットマスタを参照することにより、階層メニューを辿るようにしてショートカットボタン１０１…に対応する業務の実行ボタンが属する処理メニューを表示した後に業務を実行し、業務を終了したときに業務の実行ボタンが属する処理メニューを表示するようになっている。
【００１４】
これにより、ショートカットボタン１０１…による効率的な操作を可能とするメニュー画面制御方法を提供するものとなっている。
【特許文献１】特開２００１−２２４９３号公報（平成１３年１月２６日公開）
【特許文献２】特開２００４−３０２５２２号公報（平成１６年１０月２８日公開）
【発明の開示】
【発明が解決しようとする課題】
【００１５】
上記従来のショートカットボタンは、いずれもパソコン画面でのショートカットボタンの作成であるので、ショートカットボタンの作成を容易に行うことができるものとなっている。
【００１６】
しかしながら、操作条件の設定を、パソコンの画面全体で行うという機能を有しないために、各種ボタンを順次押すことにより、階層構造になった設定条件を設定するものも多い。したがって、従来の環境試験装置においては、階層構造の設定画面において、少ないボタンを何度も押すことにより、操作条件の設定入力及び設定変更を行っているという現状がある。
【００１７】
本発明は、上記従来の問題点に鑑みなされたものであって、その目的は、階層構造になった設定画面をボタン操作にて順次表示させて操作条件の設定入力及び設定変更を行う場合に、容易に操作条件の設定入力及び設定変更を行い得る環境試験装置を提供することにある。
【課題を解決するための手段】
【００１８】
本発明の環境試験装置は、上記課題を解決するために、操作部でのボタン操作により、階層構造における設定画面を順次表示させて、操作条件の設定入力を行う環境試験装置において、上記操作部には、所望の操作条件が直接設定されるショートカットボタンと、上記ショートカットボタンにおける所望の操作条件を、設定入力及び設定変更する設定入力変更手段とが設けられ、上記設定入力変更手段によって設定されうる操作条件を、設定時刻を含めて経時的に記憶しておく操作履歴記憶手段が設けられていると共に、前記設定入力変更手段は、上記操作履歴記憶手段に記憶された操作条件を抽出して設定入力及び設定変更することを特徴としている。
【００１９】
上記の発明によれば、環境試験装置は、操作部でのボタン操作により、階層構造における設定画面を順次表示させて、操作条件の設定入力を行う。
【００２０】
さらに、本発明では、操作部には、所望の操作条件が直接設定されるショートカットボタンと、上記ショートカットボタンにおける所望の操作条件を、設定入力及び設定変更する設定入力変更手段が設けられ、上記設定入力変更手段によって設定されうる操作条件を、設定時刻を含めて経時的に記憶しておく操作履歴記憶手段が設けられていると共に、前記設定入力変更手段は、上記操作履歴記憶手段に記憶された操作条件を抽出して設定入力及び設定変更する。
【００２１】
これにより、操作履歴記憶手段に記憶された操作条件を抽出して設定入力及び設定変更することができる。
【００２２】
したがって、以前に実施した環境試験の操作プログラムを引用して操作条件を設定することができるので、操作条件の設定作業が容易となる。
【００２３】
また、本発明の環境試験装置では、前記設定入力変更手段は、１つのショートカットボタンに対して、複数の操作条件を設定入力及び設定変更することが好ましい。
【００２４】
これにより、例えば、温度の操作条件と湿度の操作条件との複数の操作条件をまとめて設定入力及び設定変更することができる。
【００２５】
また、本発明の環境試験装置では、前記操作履歴記憶手段に記憶された操作条件の設定時刻から各操作条件での運転時間を演算する演算手段を備えていると共に、前記設定入力変更手段は、上記操作履歴記憶手段に記憶された操作条件を抽出して設定入力及び設定変更するときに、上記演算手段にて演算された各操作条件での運転時間を含めて設定入力及び設定変更することが好ましい。
【００２６】
すなわち、操作履歴記憶手段に記憶された操作条件を抽出して設定入力及び設定変更するときに、各操作条件での運転操作時間を含めて設定入力及び設定変更できることが好ましい。
【００２７】
しかし、操作履歴記憶手段には、以前に設定した操作条件が、その設定時刻を含めて経時的に記憶されているだけであるので、運転時間は直ぐには設定できない。
【００２８】
この点、本発明では、操作履歴記憶手段に記憶された操作条件の設定時刻から各操作条件での運転時間を演算する演算手段を備えているので、演算手段にて各操作条件での運転時間を演算して求めることができる。
【００２９】
したがって、操作履歴記憶手段に記憶された操作条件の設定時刻に基づいて、温度条件及び湿度条件を含む操作条件を抽出して設定入力及び設定変更するときに、その温度条件及び湿度条件における運転時間も含めて設定することが可能となる。
【００３０】
また、本発明の環境試験装置では、パーソナルコンピュータとの通信を行う通信手段と、上記パーソナルコンピュータにて設定入力及び設定変更された前記操作条件を、上記通信手段を介して入力する制御手段とが設けられていることが好ましい。
【００３１】
これにより、前記操作条件を、パーソナルコンピュータにて、設定入力及び設定変更することができる。このため、パーソナルコンピュータでは、キーボードにて設定入力及び設定変更の入力操作ができるので、入力操作が容易となる。
【００３２】
また、本発明の環境試験装置では、前記制御手段は、前記パーソナルコンピュータにて設定入力及び設定変更されかつ移動可能な記録媒体に記憶された前記操作条件を、入力することが好ましい。
【００３３】
これにより、環境試験装置とパーソナルコンピュータとを通信ケーブルで接続する必要がなく、かつ、パーソナルコンピュータにて、キーボードを用いて設定入力及び設定変更の入力操作を容易に行うことができる。
【発明の効果】
【００３４】
本発明の環境試験装置は、以上のように、操作部には、所望の操作条件が直接設定されるショートカットボタンと、上記ショートカットボタンにおける所望の操作条件を、設定入力及び設定変更する設定入力変更手段とが設けられ、上記設定入力変更手段によって設定されうる操作条件を、設定時刻を含めて経時的に記憶しておく操作履歴記憶手段が設けられていると共に、前記設定入力変更手段は、上記操作履歴記憶手段に記憶された操作条件を抽出して設定入力及び設定変更するものである。
【００３５】
それゆえ、以前に実施した環境試験の操作プログラムを引用して操作条件を設定することができるので、操作条件の設定作業が容易となるという効果を奏する。
【発明を実施するための最良の形態】
【００３６】
〔実施の形態１〕
本発明の一実施形態について図１ないし図１０に基づいて説明すれば、以下の通りである。
【００３７】
本実施の形態の環境試験装置は、製品の寿命や耐久性等を試験するために、各種の温度条件下、及び各種の湿度条件下等の負荷を一定時間かけた例えばサイクル試験による環境試験を行うものである。
【００３８】
上記環境試験装置は、図１に示すように、操作パネル１を備えており、この操作パネル１には、表示部２及び操作部３が設けられている。
【００３９】
上記表示部２は、例えば２行程度で、例えば「管理設定」、「定値運転中」等の見出しと、「タイマ設定」、「設定温度」等の操作条件と、「Ｓ０１」、「３００℃」等の定値が表示できるようになっている。すなわち、本実施の形態では、例えば４項目表示できるようになっている。ただし、本発明では、必ずしもこれに限らず、より多くの項目が表示できるものであってもよい。
【００４０】
上記操作部３には、図１に示すように、例えば、電源ボタン１１と、運転開始／終了ボタン１２と、モニタボタン１３と、定値設定ボタン１４と、プログラム設定ボタン１５と、上ボタン１６ａ・下ボタン１６ｂ及び左ボタン１６ｃと、確定次項ボタン１７ａと、前項ボタン１７ｂと、警報／ブザーボタン１８と、ショートカットボタンとしてのクイックボタン２０とが設けられている。尚、本実施の形態では、プログラム設定ボタン１５を例えば１秒以上の長押しすることによって、管理設定モードにすることが可能となっている。
【００４１】
上記の操作パネル１では、図２に示すように、電源ボタン１１を押すと、電源「ＯＮ」となり、モニタボタン１３を押すことによって、表示部２に、例えば「モニタ  Ｍ０１  停止」が表示される。このモニタボタン１３は、各種のモニタモードを表示するものである。すなわち、表示部２に「モニタ  Ｍ０１  停止」が表示されているときに、確定次項ボタン１７ａを繰り返し押すことにより、「モニタ  Ｍ０２  設定温度  ２００℃」、「モニタ  Ｍ０３  ヒーター  ０％」が順に表示される。また、前項ボタン１７ｂを押すことにより、表示を前の状態に戻すことができる。尚、上記「Ｍ０１」、「Ｍ０２」、「Ｍ０３」…はモニタモードの種類を示すＩＤコードを示している。
【００４２】
一方、電源ボタン１１が既に押されて環境試験装置が「ＯＮ」状態であるときに、電源ボタン１１を押すと表示部２に「デンゲン  ＯＦＦ？」「ＹＥＳ」が表示される。したがって、確定次項ボタン１７ａを押すことによって、電源が「ＯＦＦ」される。尚、表示部２に「デンゲン  ＯＦＦ？」「ＹＥＳ」が表示されているときに、下ボタン１６ｂで、「ＹＥＳ」を「ＮＯ」に変えることができる一方、「ＮＯ」の状態で確定次項ボタン１７ａを押すことにより、元の画面に戻るようになっている。
【００４３】
また、図２に示すように、定値設定ボタン１４は、各種の定値設定モードを表示しかつ定値設定の入力を可能とするものである。定値設定ボタン１４を押すことにより、例えば、表示部２に「定値設定  Ｃ０１  温度℃  １０」が表示される。この表示において、確定次項ボタン１７ａを繰り返し押すことにより、「定値設定  Ｃ０２  ダンパ％  １０」…が順に表示される。尚、上記「Ｃ０１」、「Ｃ０２」…は定値設定モードの種類を示すＩＤコードを示している。
【００４４】
ここで、上記定値設定モードの表示部２における「定値設定  Ｃ０１  温度℃  １０」において、左ボタン１６ｃを押すことにより、温度の桁移動をロータリー式に行うことができるようになっている。また、上ボタン１６ａ・下ボタン１６ｂで、数字を０〜９に変更可能となっている。
【００４５】
さらに、図２に示すように、上記プログラム設定ボタン１５は、各種のプログラム編集モードを表示しかつプログラムの編集入力を可能とするものである。プログラム設定ボタン１５を押すことにより、表示部２に例えば「プログラム編集  ＬＯＣＫ！  ＰＧＭ０１（０３）」が表示される。そして、確定次項ボタン１７ａを繰り返し押すことにより、「プログラム編集  ＰＧＭ０１  新規作成」、「プログラム編集  ＰＧＭ０１  ＰＧＭ削除  ＹＥＳ」、「プログラム編集  ＰＧＭ０１  ステップ」…が順に表示される。また、上ボタン１６ａ・下ボタン１６ｂで、「プログラム編集  ＰＧＭ０１  編集」、及び「プログラム編集  ＰＧＭ０１  詳細」に変更可能となっている。尚、上記「ＰＧＭ」は、プログラム編集モードを示し、「新規作成」、「ＰＧＭ削除」及び「ステップ」等は、プログラム編集メニューを示す。
【００４６】
次に、上記運転開始／終了ボタン１２は、図３に示すように、各種の運転操作モードを表示しかつ運転操作モードの設定を可能とするものである。上記運転操作モードは、例えば、定値運転開始と運転停止との２つに大きく分かれている。
【００４７】
まず、運転開始／終了ボタン１２を押すことにより、表示部２に「運転操作  Ｏ０１  定値運転」が表示される。この表示において、確定次項ボタン１７ａを押すことにより、「運転操作  Ｏ０２  定値運転開始？  Ｙｅｓ」が表示される。また、表示部２の初期画面「運転操作  Ｏ０１  定値運転」において、下ボタン１６ｂを押すことによって、「運転操作  Ｏ０１  運転停止」が表示され、この画面において、さらに確定次項ボタン１７ａを押すことにより、「運転操作  Ｏ０３  定値運転停止？  Ｙｅｓ」が表示される。尚、上記「Ｏ０１」、「Ｏ０２」、「Ｏ０３」は運転操作モードの種類を示すＩＤコードを示している。
【００４８】
次に、上記プログラム設定ボタン１５を長押しすることによって、表示部２に表示される管理設定モードについて、図４（ａ）に基づいて説明する。
【００４９】
この管理設定モードは、図４（ａ）に示すように、各種の管理項目の設定モードを表示しかつ管理項目の設定を可能とするものである。
【００５０】
まず、プログラム設定ボタン１５を長押しすることによって、表示部２に「管理設定  Ｓ０１  タイマ設定」が表示される。この表示において、確定次項ボタン１７ａを押すことにより、「タイマ設定  Ｔ０１  クイックタイマ」が表示され、再度、確定次項ボタン１７ａを押すことにより、タイマ設定に関する項目が表示される。また、「タイマ設定  Ｔ０１  クイックタイマ」の表示がされているときに、下ボタン１６ｂを繰り返し押すことによって、「タイマ設定  Ｔ０１  開始タイマ」、「タイマ設定  Ｔ０１  終了タイマ」のように、クイックタイマに関する項目が順次表示される。
【００５１】
さらに、表示部２の初期画面「管理設定  Ｓ０１  タイマ設定」において、下ボタン１６ｂを押すことによって、「管理設定  Ｓ０１  ＲＳ−４８５設定」等の各種の管理項目の表示及び設定入力の画面となる。尚、上記「Ｓ０１」、「Ｓ０２」、…、「Ｔ０１」…は管理設定モードの種類を示すＩＤコードを示している。
【００５２】
上記の構成を備えた環境試験装置において、環境条件の設定を変更する場合の通常の操作について、図５（ａ）（ｂ）（ｃ）に基づいて説明する。
【００５３】
ここでは、例えば、環境試験装置において、設定変更プロテクトが「ＯＦＦ」となっていたのを「ＯＮ」に変更する操作手順について説明する。ここで、設定変更プロテクトとは、環境試験装置の操作パネルにて設定を行った各種の環境条件を、変更できないように、その設定変更をプロテクト（書き込み保護）する操作である。設定変更プロテクトを「ＯＮ」することにより、設定変更ができなくなる一方、通常は、設定変更プロテクトは「ＯＦＦ」となっており、設定変更ができる状態となっている。
【００５４】
例えば、設定変更プロテクトを「ＯＮ」に変更する場合には、まず、図５（ａ）に示すように、プログラム設定ボタン１５を長押しして管理設定モードに入る。この管理設定モードに入ると、管理設定メニュー画面において、最初に、「タイマ設定」の管理設定項目が表示され、下ボタン１６ｂを繰り返し押すことによって、各種の管理設定項目が順次表示される。ここで、プロテクト設定は、図５（ｂ）に示すように、各種の管理設定項目において、例えば６番目となっている。したがって、この管理設定メニュー画面において、項目が順次下に行くように、下ボタン１６ｂを６回押す。そして、表示部２がプロテクト設定モードの表示になれば、確定次項ボタン１７ａを押すことによって、図５（ｃ）に示すように、プロテクト設定画面（設定変更）が表示される。具体的には、表示部２に「プロテクト設定  Ｓ２２  設定変更  ＯＦＦ」と表示される。上記「Ｓ２２」は、プロテクト設定モードのＩＤコードを示している。
【００５５】
したがって、このプロテクト設定画面（設定変更）で設定変更プロテクトを「ＯＦＦ」から「ＯＮ」に変更する。これによって、設定変更プロテクトを「ＯＮ」にすることができる。尚、この設定変更プロテクトを再度「ＯＦＦ」にする場合には、上述した図５（ａ）（ｂ）（ｃ）の工程を経て、プロテクト設定画面（設定変更）を表示させ、このプロテクト設定画面（設定変更）で設定変更プロテクトを「ＯＮ」からに「ＯＦＦ」に変更すればよい。
【００５６】
上述のように、本実施の形態では、環境条件の設定変更をする場合に、各設定モードが階層構造となっているので、所望の設定画面に到達するために、上ボタン１６ａ・下ボタン１６ｂ及び確定次項ボタン１７ａを何度も押さなければならず、手間がかかる。
【００５７】
そこで、本実施の形態では、この設定変更容易に行うために、クイックボタン２０を設けている。このクイックボタン２０は、本発明における、階層構造における所望の設定画面を直接表示させるショートカットボタンとしての機能を有するものである。
【００５８】
本実施の形態のクイックボタン２０について、以下に詳述する。尚、説明においては、最初にクイックボタン２０の使用方法についての説明を行い、次に、クイックボタン２０の設定方法について説明する。
【００５９】
上記クイックボタン２０は、図１に示すように、操作パネル１における操作部３に一つのボタンとして設けられている。尚、本発明においては、必ずしもこれに限らず、複数のクイックボタン２０が設けられていてもよい。
【００６０】
まず、クイックボタン２０の使用方法として、このクイックボタン２０を押すことにより、設定変更プロテクトが「ＯＦＦ」となっていたのを「ＯＮ」に変更する操作手順について、図６（ａ）（ｂ）に基づいて説明する。
【００６１】
図６（ａ）に示すように、クイックボタン２０を押すと、表示部２にプロテクト設定画面（設定変更画面）が表示される。すなわち、この画面は、前記図５（ｃ）に示すプロテクト設定画面（設定変更画面）と同じである。
【００６２】
したがって、図６（ｂ）に示すように、このプロテクト設定画面（設定変更）で下ボタン１６ｂにて、「ＯＦＦ」から「ＯＮ」に変更する。これによって、直ちに、設定変更プロテクトをＯＮにすることができる。
【００６３】
次に、上記クイックボタン２０の設定手順について、図７（ａ）（ｂ）（ｃ）及び図４に基づいて説明する。
【００６４】
本実施の形態では、クイックボタン２０を設定するモードとして、図４（ａ）（ｂ）に示すように、管理設定モードの管理項目の一つとして、「クイックオペレーション」という管理項目が設けられており、この「クイックオペレーション」の管理設定モードで、クイックボタン２０の内容を設定できるようになっている。したがって、管理設定モードは、本発明の設定入力変更手段としての機能を有している。
【００６５】
図７（ａ）に示すように、クイックボタン２０の内容を設定するときには、まず、プログラム設定ボタン１５を長押しして、管理設定モードに入る。この管理設定モードに入ると、前記図４（ａ）に示すように、表示部２の管理設定メニュー画面において、「管理設定  Ｓ０１  タイマ設定」が表示される。この表示において、下ボタン１６ａを例えば７回押すことにより、図７（ｂ）及び図４（ｂ）に示すように、「管理設定  クイックオペレーション」が表示される。
【００６６】
次いで、この画面で確定次項ボタン１７ａを押すと、図７（ｃ）に示すように、クイックボタン２０での飛び先の画面を選択する設定入力モードとなる。
【００６７】
具体的には、表示部２に、「クイックオペレーション  Ｓ２５  設定  モニタ  Ｍ――」と表示されている。尚、この画面は、クイックボタン２０の飛び先として、モニタモードＭの任意の画面を指定する画面である。
【００６８】
この画面において、下ボタン１６ｂを２回押すことによって、「クイックオペレーション  Ｓ２６  設定  管理  Ｓ――」が表示され、クイックボタン２０の飛び先として、管理設定モードＳの任意の画面を指定可能な状態となる。
【００６９】
この表示にて確定次項ボタン１７ａを押すと、「―」にカーソルが移動するので、左ボタン１６ｃで桁移動し、上ボタン１６ａ・下ボタン１６ｂで０〜９をそれぞれ選択して、「クイックオペレーション  Ｓ２６  設定  管理  Ｓ２２」となるように設定する。そして、「Ｓ２２」を選択した後、確定次項ボタン１７ａを押す。これにより、クイックボタン２０での飛び先の画面として画面Ｓ２２を選択することができる。尚、上記のＳ２２は、前述したように、プロテクト設定モードのＩＤコードであり、プロテクト設定の設定変更画面を示す。
【００７０】
このように、クイックボタン２０での飛び先の画面を選択する設定入力モードでは、ＩＤコードを用いているので、容易に所望の飛び先の画面を設定することができる。
【００７１】
ここで、本実施の形態では、クイックボタン２０を設定できる項目は、図８に示すように、モニタ（ＩＤコード＝Ｍ０１〜Ｍ１３）、定値設定（ＩＤコード＝Ｃ０１〜Ｃ０８）、管理設定（ＩＤコード＝Ｓ０１〜Ｓ３２）、タイマ設定（ＩＤコード＝Ｔ０１）及びＵＳＢ設定（ＩＤコード＝Ｕ０１〜）となっている。
【００７２】
本実施の形態の環境試験装置では、このようなクイックボタン２０を設けたことによって、環境試験装置の運転操作や設定操作をワンタッチですぐに行うことができるので、作業時間を短縮することができる。また、複雑な操作であっても、少ないボタン操作で簡単に行うことができるので、誤操作の防止を図ることができる。さらに、簡単な操作になるので、専門的なスキルがなくても操作可能である。このため、例えばパートタイマ等のオペレータでも安心して操作できる。また、ソフトウェアの開発環境が無くても、ボタン機能を変更することができるので、用途に合わせたボタン機能を提供するものとなっている。
【００７３】
尚、本発明は、上記の実施の形態に限定されるものではなく、本発明の範囲内で種々の変更が可能である。例えば、上記実施の形態では、クイックボタン２０の設定は、操作パネル１の操作部３から行うようになっているが、特にこれに限定するものではなく、例えば、図９（ａ）に示すように、パーソナルコンピュータ３０から設定することが可能である。
【００７４】
具体的には、本実施の形態では、環境試験装置には、この環境試験装置の全体の駆動制御を行う制御手段としてのコントローラ４０が設けられており、このコントローラ４０は、図９（ｂ）に示すように、制御部４１と、通信部４２と、データ記憶部４３とを有している。そして、パーソナルコンピュータ３０と環境試験装置の通信部４２とは、通信ケーブル３１にて接続されている。尚、上記通信部４２及び通信ケーブル３１は、本発明の通信手段としての機能を有している。
【００７５】
したがって、操作パネル１の操作部３からクイックボタン２０の設定を行った場合には、コントローラ４０のデータ記憶部４３にクイックボタン２０の設定データが記憶されるのに対し、このような設定は、パーソナルコンピュータ３０においても設定可能である。
【００７６】
そして、パーソナルコンピュータ３０にて設定した場合には、通信ケーブル３１を介して、環境試験装置のコントローラ４０におけるデータ記憶部４３にそのデータを転送する。これにより、環境試験装置において、クイックボタン２０を押したときに、クイック操作が可能となる。
【００７７】
また、本実施の形態では、図９（ｂ）に示すように、操作パネル１にメモリ媒体挿入部４を設けることが可能である。
【００７８】
これにより、図１０（ａ）（ｂ）に示すように、パーソナルコンピュータ３０にて設定したクイックボタン設定データの入ったファイルを携帯可能な例えばフラッシュメモリ等の移動可能な記録媒体としてのメモリ媒体３２に格納し、環境試験装置の操作パネル１におけるメモリ媒体挿入部４にメモリ媒体３２を挿入することにより、環境試験装置のデータ記憶部４３に格納させることが可能である。
【００７９】
これにより、パーソナルコンピュータ３０と環境試験装置とを通信ケーブル３１で接続しなくても、パーソナルコンピュータ３０で作成したクイックボタン設定データを環境試験装置のデータ記憶部４３に格納することができる。
【００８０】
前述のように、環境試験装置は、操作部３でのボタン操作により、階層構造における設定画面を順次表示させて、操作条件の設定入力を行う。
【００８１】
この場合、設定画面は階層構造となっているので、例えば、一部の操作条件を変更する場合には、所望の設定画面を表示させるために、操作部３でのボタン操作を何回も行わなければならない場合があり、煩わしい作業となる。
【００８２】
これに対して、本実施の形態では、操作部３には、階層構造における所望の設定画面を直接表示させるクイックボタン２０と、クイックボタン２０における所望の設定画面を、設定入力及び設定変更する管理設定モードとが設けられている。
【００８３】
このため、変更したい一部の操作条件が頻出する操作条件である場合には、クイックボタン２０を押すことによって、変更したい一部の操作条件を設定入力及び設定変更する所望の設定画面を直ちに表示させることができるので、変更が容易である。
【００８４】
したがって、階層構造になった設定画面をボタン操作にて順次表示させて操作条件の設定入力及び設定変更を行う場合に、容易に操作条件の設定入力及び設定変更を行い得る環境試験装置を提供することができる。
【００８５】
また、本実施の形態の環境試験装置では、階層構造における各設定画面には、ＩＤコードが割り当てられていると共に、管理設定モードでは、ＩＤコードの入力に基づいて、階層構造における所望の設定画面を設定する。これにより、設定画面が階層構造になっていても、階層構造における各設定画面に割り当てられたＩＤコードを用いることにより、所望の設定画面を容易に設定することができる。
【００８６】
また、本実施の形態の環境試験装置では、クイックボタン２０は、複数個設けることが可能である。これにより、階層構造における所望の設定画面を複数個直接表示させることができる。
【００８７】
また、本実施の形態の環境試験装置では、パーソナルコンピュータ３０との通信を行う通信ケーブル３１及び通信部４２と、このパーソナルコンピュータ３０にて設定入力及び設定変更されたクイックボタン２０における所望の設定画面を、上記通信ケーブル３１及び通信部４２を介して入力するコントローラ４０とが設けられている。
【００８８】
これにより、クイックボタン２０における所望の設定画面を、パーソナルコンピュータ３０にて、設定入力及び設定変更することができる。このため、パーソナルコンピュータ３０では、キーボードにて設定入力及び設定変更の入力操作ができるので、入力操作が容易となる。
【００８９】
また、本実施の形態の環境試験装置では、コントローラ４０は、パーソナルコンピュータ３０にて設定入力及び設定変更されかつ移動可能なメモリ媒体３２に記憶されたクイックボタン２０における所望の設定画面を、入力する。
【００９０】
これにより、環境試験装置とパーソナルコンピュータ３０とを通信ケーブル３１で接続する必要がなく、かつ、パーソナルコンピュータ３０にて、キーボードを用いて設定入力及び設定変更の入力操作を容易に行うことができる。
【００９１】
〔実施の形態２〕
本発明の他の実施の形態について図１１ないし図１４に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００９２】
前記実施の形態１の操作パネル１は、表示部２及び操作部３を備えていたが、本実施の形態の環境試験装置では、図１１（ａ）に示すように、操作部は、例えば液晶を用いたタッチパネルからなる操作パネル５０にて構成されている。尚、タッチパネルは、液晶に限らず、例えば有機ＥＬ(Electro Luminescence)やその他のものでもよい。したがって、各操作ボタンが液晶表示画面内に表示されており、それぞれの表示操作ボタンを押すことによって操作設定ができるものとなっている。
【００９３】
具体的には、操作パネル５０には、図示しない電源ボタンを押すことによってメインメニュー画面が表示されると共に、図１１（ａ）に示すように、運転操作表示ボタン５１と、モニタ表示ボタン５２と、定値設定表示ボタン５３と、プログラム設定表示ボタン５４と、管理設定表示ボタン５５とカスタムメニュー表示ボタン５６等とが設けられている。
【００９４】
上記運転操作表示ボタン５１、モニタ表示ボタン５２、定値設定表示ボタン５３、プログラム設定表示ボタン５４、及び管理設定表示ボタン５５は、前記実施の形態１における運転開始／終了ボタン１２、モニタボタン１３、定値設定ボタン１４、及びプログラム設定ボタン１５、プログラム設定ボタン１５の長押しにそれぞれ相当している。
【００９５】
そして、例えば、図１１（ｂ）に示すように、定値設定表示ボタン５３によって、８５℃及び８５％ＲＨの設定を行うことができる。また、運転操作表示ボタン５１を押すことによって、図１１（ｃ）に示すように、運転操作画面にて定値運転を開始することができる。
【００９６】
次に、本実施の形態のカスタムメニュー表示ボタン５６における環境条件の設定方法について、図１２（ａ）（ｂ）に基づいて説明する。尚、ここでは、例えば８５℃及び８５％ＲＨの定値運転開始を設定するショートカットボタンとして設定する場合について説明する。
【００９７】
図１２（ａ）に示すように、まず、メインメニューにて管理設定表示ボタン５５を押す。これにより、図１２（ｂ）に示すように、操作パネル５０に管理設定メニューが表示されるので、この管理設定メニューにて、操作履歴表示ボタン６１を押す。この結果、図１３（ａ）に示すように、過去に操作した操作履歴が表示される。この操作履歴の一部には、例えば、
２  ２００７／０９／１０  １０：２０  温度８５℃設定
３  ２００７／０９／１０  １０：２２  湿度８５％ＲＨ設定
４  ２００７／０９／１０  １０：２３  定値運転開始
と表示されている。
【００９８】
そこで、本実施の形態では、この履歴Ｎｏ．２、履歴Ｎｏ．３、及び履歴Ｎｏ．４を選択して、クイック設定表示ボタン６２を押す。尚、本実施の形態ではクイック設定表示ボタン６２が本発明の設定入力変更手段としての機能を有している。
【００９９】
これにより、図１３（ｂ）に示すように、カスタムメニュー画面が表示される。ここで、本実施の形態では、カスタムメニュー画面には、ショートカットボタンは複数としての例えば４個の第１クイック表示ボタン６３ａ、第２クイック表示ボタン６３ｂ、第３クイック表示ボタン６３ｃ、及び第４クイック表示ボタン６３ｄが設けられている。尚、ショートカットボタンの個数は、必ずしも４個に限らず、他の複数であってもよい。
【０１００】
そして、例えば、第２クイック表示ボタン６３ｂを押すことによって、上述のように選択された履歴Ｎｏ．２、履歴Ｎｏ．３、及び履歴Ｎｏ．４が、第２クイック表示ボタン６３ｂに登録されるようになっている。
【０１０１】
上述のようにして設定登録された第２クイック表示ボタン６３ｂにより、操作を行う場合には、まず、図１４（ａ）に示すように、操作パネル５０におけるメインメニューからカスタムメニュー表示ボタン５６を押してカスタムメニューを開く。次いで、図１４（ｂ）に示すように、第２クイック表示ボタン６３ｂを押すことにより、温度８５℃設定、湿度８５％ＲＨ設定、定値運転開始の操作を行うことができる。
【０１０２】
尚、本実施の形態においては、第２クイック表示ボタン６３ｂでの設定内容として、例えば、温度８５℃設定、湿度８５％ＲＨ設定、定値運転開始からなるプログラムを設定登録したが、必ずしも項目だけに限定されない。
【０１０３】
すなわち、例えば、図１３（ａ）に示すように、この操作履歴には、各定値設定条件である項目が設定された時間が残っている。したがって、この各定値設定条件である項目について時間を含めて設定することが可能である。
【０１０４】
この場合には、図１３（ａ）に示す操作履歴表示画面に、例えば、クイック設定表示ボタン６２と共に、各定値設定条件である項目について運転時間を含めて設定登録することを示す図示しないクイック設定表示ボタン（時間を含む）を設けておく。
【０１０５】
これにより、このクイック設定表示ボタン（時間を含む）を押したときには、この操作履歴から各定値設定条件がどれほどの時間継続したのかを計算して、その時間を含めてショートカットボタンとして設定可能とすることができるようになる。
【０１０６】
具体的には、図１３（ａ）に示す操作履歴表示画面においては、「２  ２００７／０９／１０  １０：２０  温度８５℃設定」、「  ４  ２００７／０９／１０  １０：２３  定値運転開始」、及び「５  ２００７／０９／１０  １１：３０  温度１２０℃設定」の履歴により、温度８５℃は、定値運転開始の時刻１０：２３から温度１２０℃の設定時刻１１：３０まで維持されていたことが分かる。したがって、運転時間は、引き算により、６７分であることが分かる。
【０１０７】
尚、本実施の形態では、第２クイック表示ボタン６３ｂの設定操作において、操作履歴表示画面を用いて、操作条件を選択・抽出したが、必ずしもこれに限らず、操作履歴表示画面を用いないで、操作条件を設定することも可能である。
【０１０８】
このように、本実施の形態の環境試験装置では、第１クイック表示ボタン６３ａ、第２クイック表示ボタン６３ｂ、第３クイック表示ボタン６３ｃ、及び第４クイック表示ボタン６３ｄは、表示画面をタッチすることにより所望の設定画面を直接表示させるタッチパネルにてなっている。これにより、ショートカットボタンは、ハードウェアキーからなるボタンだけでなく、タッチパネルでのボタンも含まれることになる。
【０１０９】
また、本実施の形態の環境試験装置では、ショートカットボタンを第１クイック表示ボタン６３ａ、第２クイック表示ボタン６３ｂ、第３クイック表示ボタン６３ｃ、及び第４クイック表示ボタン６３ｄとして複数個設けている。これにより、階層構造における所望の設定画面を複数個直接表示させることができる。
【０１１０】
また、本実施の形態の環境試験装置では、クイック設定表示ボタン６２は、複数の操作条件を設定入力及び設定変更するようになっている。これにより、例えば、温度の操作条件と湿度の操作条件と定値運転開始の操作条件との複数の操作条件をまとめて設定入力及び設定変更することができる。
【０１１１】
また、本実施の形態の環境試験装置では、設定された操作条件を、設定時刻を含めて経時的に記憶しておく操作履歴記憶手段としての前記図９（ｂ）に示すデータ記憶部４３が設けられていると共に、クイック設定表示ボタン６２を押すことにより、データ記憶部４３に記憶され、操作履歴表示画面に表示された温度条件及び湿度条件を含む操作条件を抽出して設定入力及び設定変更できる。
【０１１２】
これにより、データ記憶部４３に記憶された温度条件及び湿度条件を含む操作条件を抽出して設定入力及び設定変更することができる。
【０１１３】
したがって、以前に実施した環境試験の操作プログラムを引用して操作条件を設定することができるので、操作条件の設定作業が容易となる。
【０１１４】
ところで、上記の場合に、データ記憶部４３に記憶された温度条件及び湿度条件を含む操作条件を抽出して設定入力及び設定変更するときに、各操作条件での運転操作時間を含めて設定入力及び設定変更できることが好ましい。
【０１１５】
この点、本実施の形態の環境試験装置では、データ記憶部４３に記憶された操作条件の設定時刻から各操作条件での運転時間を演算する演算手段としての前記図９（ｂ）に示す制御部４１を備えていると共に、クイック設定表示ボタン６２を押すことにより、データ記憶部４３に記憶された温度条件及び湿度条件を含む操作条件を抽出して設定入力及び設定変更するときに、制御部４１にて演算された各操作条件での運転時間を含めて設定入力及び設定変更する。
【０１１６】
すなわち、データ記憶部４３に記憶された温度条件及び湿度条件を含む操作条件を抽出して設定入力及び設定変更するときに、各操作条件での運転操作時間を含めて設定入力及び設定変更できる。
【０１１７】
この場合、データ記憶部４３には、以前に設定した操作条件が、その設定時刻を含めて経時的に記憶されているだけであるので、運転時間は直ぐには設定できない。
【０１１８】
この点、本実施の形態では、データ記憶部４３に記憶された操作条件の設定時刻から各操作条件での運転時間を演算する演算手段としての制御部４１を備えているので、制御部４１にて各操作条件での運転時間を演算して求めることができる。
【０１１９】
したがって、データ記憶部４３に記憶された操作条件の設定時刻に基づいて、温度条件及び湿度条件を含む操作条件を抽出して設定入力及び設定変更するときに、その温度条件及び湿度条件における運転時間も含めて設定することが可能となる。
【０１２０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２１】
本発明は、階層構造になった設定画面をボタン操作にて順次表示させて操作条件の設定入力及び設定変更を行う場合に、容易に操作条件の設定入力及び設定変更を行い得る環境試験装置に適用することができる。
【図面の簡単な説明】
【０１２２】
【図１】本発明における環境試験装置の実施の一形態を示すものであり、操作パネルの構成を示す正面図である。
【図２】上記環境試験装置における電源ボタン、モニタボタン、定値設定ボタン、及びプログラム設定ボタンを押したときの表示内容を示す説明図である。
【図３】上記環境試験装置における運転開始／終了ボタンを押したときの表示内容を示す説明図である。
【図４】（ａ）は上記環境試験装置におけるプログラム設定ボタンを長押ししたときに表示される管理設定モードの表示内容を示す説明図であり、（ｂ）は管理設定モードの一つの項目として設けられているクイックオペレーション設定画面を示す説明図である。
【図５】（ａ）（ｂ）（ｃ）は、上記環境試験装置において、管理設定モードにより設定変更プロテクトをＯＮ／ＯＦＦ設定する場合の設定手順を示す説明図である。
【図６】（ａ）（ｂ）は、上記環境試験装置において、クイックボタンを用いて設定変更プロテクトをＯＮ／ＯＦＦ設定する場合の設定手順を示す説明図である。
【図７】（ａ）（ｂ）（ｃ）は、上記環境試験装置におけるクイックボタンの設定手順を示す説明図である。
【図８】上記クイックボタンにて設定できる画面及び画面表示条件を示す説明図である。
【図９】（ａ）（ｂ）は、パーソナルコンピュータにてクイックボタンの設定を行う場合の環境試験装置の構成を示すブロック図である。
【図１０】（ａ）（ｂ）は、パーソナルコンピュータにてクイックボタンの設定を行い、かつ携帯型のメモリ媒体を用いて環境試験装置に入力する場合の環境試験装置の構成を示すブロック図である。
【図１１】（ａ）（ｂ）は、本発明における環境試験装置の他の実施の形態を示すものであり、「温度設定、湿度設定、運転開始」等の一連の運転操作を、定値設定表示ボタンを押すことによりマクロ登録する場合の設定方法を示す説明図である。
【図１２】（ａ）は、上記環境試験装置において、「温度設定、湿度設定、運転開始」等の一連の運転操作を、操作履歴を用いてクイック設定表示ボタンにマクロ登録する場合の設定方法を示すものであって、メインメニュー画面を示す正面図であり、（ｂ）は、メインメニュー画面において管理設定表示ボタンを押したときに表示される管理設定メニュー画面を示す正面図である。
【図１３】（ａ）は、上記環境試験装置において、「温度設定、湿度設定、運転開始」等の一連の運転操作を、操作履歴を用いてクイック設定表示ボタンにマクロ登録する場合の設定方法を示すものであって、操作履歴画面を示す正面図であり、（ｂ）は、操作履歴画面においてクイック設定表示ボタンを押したときに表示されるカスタムメニュー画面を示す正面図である。
【図１４】（ａ）は、上記環境試験装置において、「温度設定、湿度設定、運転開始」等の一連の運転操作を、操作履歴を用いてクイック設定表示ボタンにマクロ登録する場合でのクイック設定表示ボタンでの操作手順を示すものであって、メインメニュー画面を示す正面図であり、（ｂ）は、メインメニュー画面においてカスタムメニュー表示ボタンを押したときに表示されるカスタムメニュー画面を示す正面図である。
【図１５】（ａ）は従来のショートカットボタンを示すものであって、ログファイルの内容を示す説明図であり、（ｂ）は上記ログファイルにおいて頻出のＩＤコードを抜き出したショートカットファイルの内容を示す説明図である。
【図１６】上記ショートカットファイルの内容をショートカットボタンとして登録したときにスタートジョブとして表示されるショートカットボタンを含むメインウインドウを示す正面図である。
【図１７】従来の他のショートカットボタンを示すものであって、側部にショートカットボタンとしての項目を設けた表示画面を示す正面図である。
【符号の説明】
【０１２３】
１      操作パネル
２      表示部
３      操作部
１１      電源ボタン
１２      運転開始／終了ボタン
１３      モニタボタン
１４      定値設定ボタン
１５      プログラム設定ボタン
１６ａ    上ボタン
１６ｂ    下ボタン
１６ｃ    左ボタン
１７ａ    確定次項ボタン
１７ｂ    前項ボタン
１８      警報／ブザーボタン
２０      クイックボタン（ショートカットボタン）
３０      パーソナルコンピュータ
３１      通信ケーブル（通信手段）
３２      メモリ媒体（移動可能な記録媒体）
４０      コントローラ（制御手段）
４１      制御部
４２      通信部（通信手段）
４３      データ記憶部（操作履歴記憶手段）
５０      操作パネル
５１      運転操作表示ボタン
５２      モニタ表示ボタン
５３      定値設定表示ボタン
５４      プログラム設定表示ボタン
５５      管理設定表示ボタン
５６      カスタムメニュー表示ボタン
６１      操作履歴表示ボタン
６２      クイック設定表示ボタン
６３ａ    第１クイック表示ボタン（ショートカットボタン）
６３ｂ    第２クイック表示ボタン（ショートカットボタン）
６３ｃ    第３クイック表示ボタン（ショートカットボタン）
６３ｄ    第４クイック表示ボタン（ショートカットボタン）
【図１】
0004810543.tif 000002
【図２】
0004810543.tif 000003
【図３】
0004810543.tif 000004
【図４】
0004810543.tif 000005
【図５】
0004810543.tif 000006
【図６】
0004810543.tif 000007
【図７】
0004810543.tif 000008
【図８】
0004810543.tif 000009
【図９】
0004810543.tif 000010
【図１０】
0004810543.tif 000011
【図１１】
0004810543.tif 000012
【図１２】
0004810543.tif 000013
【図１３】
0004810543.tif 000014
【図１４】
0004810543.tif 000015
【図１５】
0004810543.tif 000016
【図１６】
0004810543.tif 000017
【図１７】
0004810543.tif 000018